(57)【要約】 【課題】Ｎゲージ鉄道模型において従来実物に近似した通電自連型連結器が存在しなかったので、機関車等の動力車が集電不良により途中で止まってしまったり、前照灯付き車両ではちらつきが発生するなどその姿態が不自然であった。【解決手段】通電自連型連結器を用い、車両全てで電気的にも接続されているので、前記のようなトラブルの回避や、レールと車輪との間のスパークによる汚れの低減を期待できる。また実物に近似した通電自連型連結器としたので、編成の先頭にたつ機関車等にも搭載させることが可能になり、より実物に近いＮゲージ鉄道模型の実現が図れる。【選択図】  図１
2014045877.tif 000002
【特許請求の範囲】
【請求項１】
Ｎゲージ鉄道模型における車両同士を連結するための連結器において、連結すべき２個の連結器のそれぞれは電気伝導性のある材料の連結器フレーム及び、電気伝導性のある材料の連結器フック及び、連結器フレームと連結器フックを電気的に遮断する連結器ベース及び、それぞれの部材をつなぐ割ピンを有してなり連結時に連結器フレームが割ピンを軸に動き相互の連結器のフレーム部とフック部が接触して電気的に接続できることを特徴とする実物に近似したＮゲージ鉄道模型の通電自連型連結器。    
【請求項２】
連結器フレームと連結器フック及び連結器ベース及び割ピンとは別パーツによって構成されていることを特徴とする請求項１記載の実物に近似したＮゲージ鉄道模型の通電自連型連結器。
【請求項３】
連結器フレームと連結器フックは、電気伝導性のある材料で連結器ベースは、弾力のある樹脂製、割ピンはステンレスで構成されていることを特徴とする請求項1記載の実物に近似したＮゲージ鉄道模型の通電自連型連結器。
【発明の詳細な説明】
【技術分野】
【０００１】
本発明は実物に近似したＮゲージ鉄道模型の通電自連型連結器の技術に関する。     
【背景技術】
【０００２】
Ｎゲージ鉄道模型の連結器において、従来実物に近似した通電自連型連結器は存在しなかった。Ｎゲージ鉄道模型の通電自連型連結器を用いれば、連結時に電気接点も接続するのでいままで実現しなかったＮゲージでの機関車、客車、貨車等の編成全てでの集電ができるものである。
【０００３】
一方Ｎゲージ鉄道模型の連結器において、従来電気接点付き連結器は新幹線用の特殊な形状の連結器が使用されている。
【発明の概要】
【発明が解決しようとする課題】
【０００４】
Ｎゲージ鉄道模型にあっては、車両同士を連結し通電させるのに実物と形態が違う新幹線用のフックリングカプラーや、縮尺が１/８０のＨＯゲージ用の大きな通電カプラーのものが考えられている。しかしながら、従来は、実物に近似したＮゲージ鉄道模型での通電機能付き自連型連結器は存在しなかったので次のような不都合があった。
【０００５】
Ｎゲージ鉄道模型は、２本のレールからそれぞれ＋極−極のＤＣ１２Vを受電し、車輪を介しモーター搭載の動力車のモーターを動かし、ギアを伝って動かしたり前照灯や室内灯やヘッドサイン等付きの車両では、ＬＥＤ等を使用し実物同様のイメージでライトの点灯などをしたりしている。しかしレールや車輪等の汚れ等により通電が悪くなり、結果車両が止まってしまったり、ライト付き車両ではライトのちらつきが発生したり、特にスローでの運転中分岐器付近で止まってしまうことが多くその姿態が不自然であった。
【課題を解決するための手段】
【０００６】
Ｎゲージ鉄道模型における車両同士を連結するための連結器において、連結すべき２個の連結器のそれぞれは、電気伝導性のある材料の連結器フレーム及び、電気伝導性のある材料の連結器フック及び、連結器フレームと連結器フックを電気的に遮断する連結器ベース及び、それぞれの部材をつなぐ割ピンを有してなり、連結器時に連結器フレームが割ピンを軸に動き、相互の連結器のフレーム部とフック部が接触して、電気的に接続できることを特徴とする実物に近似したＮゲージ鉄道模型の通電自連型連結器を特徴とする。
【０００７】
以下本発明に係る実物に近似したＮゲージ鉄道模型の通電自連型連結器の実施例を、図面に基づいて説明する。
【０００８】
図１には実物に近似したＮゲージ鉄道模型の通電自連型連結器の分解斜視図が示されている。この実物に近似したＮゲージ鉄道模型の通電自連型連結器は、特に限定はされないが４つのパーツから構成されている。
【０００９】
つまりこの実物に近似したＮゲージ鉄道模型の通電自連型連結器は図１に示すように、
自連型連結器ピン（以下単にピンと称す）１，自連型連結器ベース（以下単にベースと称す）２，自連型連結器フレーム（以下単にフレームと称す）３，自連型連結器フック（以下単にフックと称す）４，から構成されている。
【００１０】
ここでベース２は、全体が弾力性に富む材料から構成されており、その枝部２aには切り込みが形成され連結時には、２b，３bに入ったピン１を軸にフレームの端部３aがベース２aを押し出し動きお互いのフックとベースの間隔が広がり受容できるようになっている。
【００１１】
一方フック４とフレーム３は、通電性の高い金属を使用しており、図４に示すように車両Ａ側のフレーム３が連結時に車両Ｂ側のフック４と接触し、電気的に＋が流れ同じく車両Ａ側のフック４’が連結時に、車両Ｂ側のフレーム３’と接触し、電気的に−が流れる仕組みである（この場合のフレーム３とフック４の作用については後述する。）
【００１２】
フック４とベース２はベース２の２c部とフック４の４a部が、４cと２dを合わせるようにベース２を上から系合することになり一体化されるようになっている。一体化したものは５である。図５
【００１３】
又ピン１は、前述したフック４とベース２の一体化したもの５と、フレーム３のそれぞれ３bと２b部を貫通し一体化されるようになっている。図２。
【００１４】
これら図２から明らかなように、本発明の一実施形態に係る連結器は、実車に設置されている自連型連結器と極めてよく似た形状で形成されている。
【００１５】
そしてこのようにして一体化されたピン１，ベース２，フレーム３,フック４（以下一体化させたピン１及びベース２及びフレーム３及びフック４全体を指すときは、連結器本体と称す）
【００１６】
連結器は、図３（平面図）に示すように車両の前部及び後部に取り付けられる。
【００１７】
次に本実施例の作用を説明する。
【００１８】
車両Ａ、Ｂをレールにセットしたままの状態で図３に示すように、連結すべき車両同士を接近させる。するとフック４の背部４bが相手側のフック４b’に突き当たるとともに、両車両のフレーム３が３b，２b部を貫通したピン１を軸に外側へ押し出され、両車両のフレーム３が開き連結器同士が連結される。
【００１９】
同時に車両Ａ側のフレーム３と車両Ｂ側のフック４に＋電流が流れ、車両Ａ側のフック４と車両Ｂ側のフレーム３に−電流が流れ、お互い電気的にも接続される。その時フレーム３部３aはベース２a部の弾性により元に戻る。(図４）
【００２０】
一方連結器同士の連結を解くには同じく車両Ａ、Ｂどちらか片方の車両を持ち上げると上下方向へ外れる。
【発明の効果】
【００２１】
前記した手段によれば車両全てで電気的にも接続されているので、前記のようなトラブルの回避やレールと車輪との間のスパークによる汚れの低減を期待できる。また実物に近似した自連式連結器としたので、編成の先頭に立つ機関車等にも搭載させることが可能になりより実物に近いＮゲージ鉄道模型の実現が図れる。
【００２２】
すなわち実施例の連結器によれば、通電性を持ったフック４及びフレーム３が絶縁体で出来たベース２をピン１を介して出来上がったので、つまり通電式連結器としたので動力車や前照灯、室内灯等搭載の車両を、隣合う車両全てと電気的にも接続することが可能となりより趣味感を満足させるＮゲージ鉄道模型の連結器の実現が図れる。
【００２３】
又外観的にも自連型の連結器としたので、スケーリング則に従って実物の連結器を縮尺したものとほぼ同様の幅の連結器が得られることになり、この点でも趣味感を満足させるＮゲージ鉄道模型の連結器の実現が図れることになる。
【００２４】
本発明の実物に近似したＮゲージ鉄道模型の通電自連型連結器は、Ｎゲージ鉄道模型における車両同士を電気的にも接続するための連結器において、連結すべき２個のそれぞれがピン，ベース,フレーム，フックを有してなり、フレーム３の３a部がベース２の２a部を押し出してフレーム３が開き連結できると同時に、電気的にも接続できるように構成されているので全車両を電気的にも結び、且つ実物に近い形を縮尺したものとほぼ同様の幅の連結器の外観が得られるようになりより趣味感の高いＮゲージ鉄道模型の連結器の実現が図れる。
【図面の簡単な説明】
【００２５】
【図１】本発明の第一実施形態であるＮゲージ鉄道模型の通電自連型連結器の分解斜視図である。
【図２】図１に示すＮゲージ鉄道模型の通電自連型連結器の組立後の斜視図である。
【図３】図２に示すＮゲージ鉄道模型の通電自連型連結器の車両搭載時連結前の平面図である。
【図４】図３に示すＮゲージ鉄道模型の通電自連型連結器の車両搭載時連結時の平面図である。
【図５】ベース２とフック４を一体化させたあとの斜視図である。
【発明を実施するための形態】
【００２６】
Ｎゲージ鉄道模型における車両同士を連結するための連結器において、連結すべき２個の連結器のそれぞれは、電気伝導性のある材料の連結器フレーム及び電気伝導性のある材料の連結器フック及び連結器フレームと連結器フックを電気的に遮断する連結器ベース及びそれぞれの部材をつなぐ割ピンを有してなり、連結時に連結器フレームが割ピンを軸に動き相互の連結器のフレーム部とフック部が接触して電気的に接続でき且つ実物に近似したＮゲージ鉄道模型の通電自連型連結器が提供でき趣味性を満足させることができる。
【符号の説明】
【００２７】
１  ピン
２  ベース
２a  ベース枝部
２b  ベース貫通穴
２c  バース固定突起部
２d  ベースナックル窪み部
３  フレーム
３a  フレーム胴部
３b  フレーム貫通穴
４  フック
４a  フック固定窪み部
４b  フックナックル部
４c  フックナックル突起部
【図１】
2014045877.tif 000003
【図２】
2014045877.tif 000004
【図３】
2014045877.tif 000005
【図４】
2014045877.tif 000006
【図５】
2014045877.tif 000007